(57)【要約】人の背領域と頭部領域のための支持装置（１）において、バックレスト部分の部分領域は、背領域の肩胛骨領域の高さに、脊椎領域における中央の支持面（４）と中央の支持面の両側に開放した領域（３）とを有しており、その領域は、肩胛骨領域が中央の支持面を越えて下方へ移動可能であるように形成されている。住居装置領域または作業場所装置領域に使用。
2005531375.tif 000002
【特許請求の範囲】
【請求項１】
バックレスト部分とヘッドレスト部分とを有する、人の背領域と頭部領域のための支持装置において、
支持位置において、バックレスト部分（２から２ｎ）の部分領域が、背領域の肩胛骨領域の高さにおいて脊椎領域内の支持面（４から４ｎ）と該支持面（４から４ｎ）の両側に開放した領域（３から３ｎ）とを有しており、前記開放した領域は、肩胛骨領域が支持面を通過して下方へ移動可能であるように、形成されていることを特徴とする支持装置。
【請求項２】
ヘッドレスト部分（５から５ｎ）とバックレスト部分（２から２ｎ）が別々の構成部分であって、前記構成部分が支持位置のために開放した領域（３から３ｎ）を形成しながら互いに合体可能であることを特徴とする請求項１に記載の支持装置。
【請求項３】
開放した領域が、バックレスト部分（３から３ｎ）の、側方に開放した切欠き（３から３ｎ）によって形成されていることを特徴とする請求項１に記載の支持装置。
【請求項４】
切欠き（３）が、取り外し可能または移動可能に配置されたカバー部材（２９から２９ｂ）によって閉鎖可能であることを特徴とする請求項３に記載の支持装置。
【請求項５】
バックレスト部分（２）とヘッドレスト部分（５）が、堅固な支持ユニット（１）内に統合されていることを特徴とする請求項１に記載の支持装置。
【請求項６】
堅固な支持ユニット（１）が、特に直立した非作動位置と特に横たわった支持位置との間で移動可能に配置されていることを特徴とする請求項５に記載の支持装置。
【請求項７】
ヘッドレスト部分とバックレスト部分が、非作動位置と支持位置との間でガイド手段（２１、２２、２３、２８、３１）によって互いに対して移動可能に軸承されていることを特徴とする請求項６に記載の支持装置。
【請求項８】
住居装置部分、余暇装置部分あるいは作業場所装置部分において、
請求項１から７のいずれか１項に記載の支持装置が設けられていることを特徴とする、住居装置部分、余暇装置部分あるいは作業場所装置部分。
【請求項９】
座り家具および／または横たわり家具として形成されていることを特徴とする請求項８に記載の住居装置部分、余暇装置部分あるいは作業場所装置部分。
【請求項１０】
ヘッドレスト部分とスペース部分および増設部分を面部分に結合するための少なくとも１つの結合部材を有する増設ユニットであって、スペース部分が脊椎領域のための支持面として形成されており、かつ固定は、バックレスト部分としての面部分が全体として請求項１から７のいずれか１項に記載の支持装置を形成するために用いられるように、行われることを特徴とする増設ユニット。
【発明の詳細な説明】
【技術分野】
【０００１】
本発明は、バックレスト部分とヘッドレスト部分とを備えた、人の背領域および頭部領域のための支持装置およびこの種の支持装置を備えた住居装置、余暇装置または作用装置に関する。
【背景技術】
【０００２】
この種の支持装置は、寝椅子などの形式で一般に知られている。この種の支持装置は、クッション付きまたはクッションなしで形成することができる。この種の支持装置上に、人は場所を占めることができる。この種の支持装置上で人が仰向けに場所を占めた場合には、その背領域もその頭部領域も支持される。背領域は、尾骨領域から首筋領域まで延びている。人にとって安全な支持を可能にするために、支持装置は背領域のためにバックレスト部分を、頭部領域のためにはヘッドレスト部分を有している。バックレスト部分は、人の安全な臥位が得られるような幅に形成されている。特にバックレスト部分は、少なくとも腰領域から肩領域までは、人の安全な臥位を可能にするために、人の該当する領域の幅に少なくとも相当する幅を有している。この種の支持装置は、しばしば整形外科的に形成され、かつ／または人の自然な姿勢にぴったりと合う。
【０００３】
人の姿勢は、整形外科的な視点においては、悪いことが多い。特に作業場所における、あるいは他の領域における悪い姿勢は、胸筋系の短縮をもたらし、それがまた丸まった背姿勢、特に円背をもたらす可能性がある。
【発明の開示】
【発明が解決しようとする課題】
【０００４】
本発明の課題は、簡単な手段で、特に体操的な訓練によって、この種の胸筋系短縮に拮抗作用する可能性を提供する、冒頭で挙げた種類の支持装置を提供することである。
【課題を解決するための手段】
【０００５】
この課題は、支持位置においてバックレスト部分の部分領域が、背領域の肩胛骨領域の高さにおいて、脊椎領域内の支持面と支持面の両側に開放した領域とを有しており、その開放した領域は、肩胛骨領域が支持面を通過して下方へ移動できるように形成されていることによって、解決される。
【０００６】
従って本発明によれば、支持装置上に仰臥している人は、腕を両側へ大きく開き、側方外側へ大きく開いた位置においてその腕を自重に委ね、あるいは積極的に腕とそれに伴って肩を外側へ、すなわちバックレスト部分の後ろ側へ向かって押すことによって、簡単な方法でその胸筋系を伸張させることができる。肩胛骨高さにおいては支持面によって脊椎領域には中央の、好ましくは狭い、少なくとも部分的な支持しか存在せず、肩胛骨領域は少なくともほぼ自由に下方へ、すなわち支持面を通過して後ろ側へ向かって移動することができるので、胸筋を伸張させることができる。好ましくは支持装置上の人は、垂直に対して４５°から９０°までの角度領域内で方向づけされた位置で横たわる。特に好ましくは支持位置において、バックレスト部分とヘッドレスト部分の少なくともほぼ水平の方向づけが与えられる。それによってすでに腕と肩の領域の自重が、胸筋系伸張の目的を達成するために、胸筋系へ所望の伸張作用を及ぼし、人は必ずしもさらに積極的に力を使用する必要はない。従って支持装置は、横たわり位置の形成によって弛緩姿勢が得られることにより、かつ付加的に少なくとも上腕を単純に両側へ大きく広げて、次に胸郭に対してほぼ直角に落とすことによりすでに胸筋系の伸張が得られることによって、二重の機能を満たす。
【０００７】
下腕も上腕の直線的な延長上で胸郭領域に対してほぼ直角に側方外側へ大きく開かれる場合には、腕の自重によりもたらされる梃子作用がさらに増大されるので、胸筋系のための伸張作用も改良される。中央の支持面の両側に存在している開放した領域は、バックレスト部分とヘッドレスト部分とによって形成される横たわり面全体の内部で、それぞれ側方外側へ開放することができる。代替的に、開放した領域の横の広がりが、上腕を直角に大きく広げた場合に少なくともまだ肘領域がさらに開放した領域を通して下方へ沈み込むことができるような大きさに形成されている場合には、開放した領域の側方外側の端縁領域を閉鎖することもできる。しかし好ましくは開放した領域は、横たわり面の全体幅が比較的狭い場合でも、肩と腕を所望に動かせるようにするために、側方外側へ向かっても開放して形成される。好ましくはバックレスト部分は、少なくとも、尾骨または腰領域から始まってほぼ肩胛骨領域の下まで、少なくとも何とか肩領域の下までは人の背領域の確実な載置を達成するために、人の胸郭の幅に相当する広さに形成される。ヘッドレスト領域も、好ましくは、それが確実な頭部載置を保証するように、形成される。
【０００８】
本発明に基づく解決は、様々な分野で使用することができる。それは特に、住居領域、事務所領域、作業場所領域または余暇領域に基づく様々な装置の一部とすることができる。支持装置は、床上に位置決めすることができるようにするために、特に架台のような、別体の土台上に載置し、あるいはまたそれ自体適当な支持部材、架台部材または脚部材を有することもできる。特に簡単な実施形態においては、支持装置は、特に木やプラスチックのような形状の安定した材料からなる単純なプレートによって堅固な支持ユニットとして形成され、その支持ユニットに支持面と側方の開放した領域とを含むバックレスト部分とヘッドレスト部分とが設けられている。この種のプレートは、他の機能装置内に一体化され、あるいはそれと結合することができる。すなわち、特に、この種のプレートを部屋のドアの領域または部屋の壁の領域内に取り外し可能に配置して、必要な場合にはドアまたは壁から外して、適当な土台上に位置決めすることが可能である。代替的に、この種のプレートが住居装置オブジェまたはビューロー装置オブジェに取り外し可能に配置されている、実施形態が設けられている。特に、この種のプレートはベース内に立てて挿入され、そのベースは照明の一部であって、特に挿入されたプレートの後方に位置する、少なくとも１つの蛍光管を有している。従って支持装置として用いられるプレートは、それが照明手段のためのブランドまたはシールドとして用いられることにより、付加機能を有している。
【０００９】
本発明の形態においては、ヘッドレスト部分とバックレスト部分は別々の構成部分であって、それらは支持装置のために開放した領域を形成しながら互いに合体させることができる。それによって、ヘッドレスト部分とバックレスト部分を単に必要なときだけ、背と頭部のための所望の載置位置が得られるように、互いに対応づけることが可能である。胸筋系の伸張に必要のない状態においては、ヘッドレスト部分とバックレスト部分は全く他の機能を有することができる。すなわち特に、人体のための載置機能が必要とされない限りにおいて、少なくとも１つの支持部分の表面をテーブルプレートとして、あるいは座ることのできるものとして使用することが可能である。
【００１０】
本発明の形態においては、開放した領域は、バックレスト部分の側方に開放した切欠きによって形成されている。好ましくは、バックレスト部分は−体の下方に見て−切欠きの下の領域において、肩胛骨領域の高さにおける中央の、好ましくは狭い支持面よりもずっと幅広く形成されているので、人体の後ろ側の肋骨の領域内でより確実な支持が得られる。好ましくは切欠きはヘッドレスト部分からのバックレスト部分の分離を形成しているので、ヘッドレスト部分とバックレスト部分との間には少なくとも支持位置のために支持面による結合のみが残る。
【００１１】
本発明の他の形態においては、切欠きは、取り外し可能または移動可能に配置されたカバー部材によって閉鎖可能である。切欠きが対応するカバー部材によって閉鎖されるとすぐに、好ましくはヘッドレスト部分を含めて、バックレスト部分はつながったプレート形状ないしはつながった面を有することができる。それによってバックレスト部分および／またはヘッドレスト部分は、それらが互いに支持位置のために合体されない限り、まったく他の機能に供することができる。
【００１２】
本発明の他の形態においては、バックレスト部分とヘッドレスト部分は堅固な支持ユニットに一体化されている。従ってバックレスト部分とヘッドレスト部分は、共通の堅固なユニットの一部である。好ましくはバックレスト部分とヘッドレスト部分は、形状の安定したプレートを形成し、そのプレートは胸部伸張目的のために必要とされない場合には、他のように、特にテーブルまたは座り家具などとして使用することができる。
【００１３】
本発明の他の形態においては、堅固な支持ユニットは、特に直立した非作動位置と特に横たわった支持位置との間で移動可能に配置されている。それによってバックレスト部分とヘッドレスト部分とから形成されるバックレストユニットを必要な場合にだけ所望の支持位置へ移動させることが可能である。必要ない場合には、支持ユニットは他の機能を有すること、あるいは機能なしで非作動位置に留まることができる。特に好ましい実施形態においては、支持ユニットはテーブル配置の領域に移動可能に位置決めされており、あるいはまたソファまたはスツールの折り畳み可能な背もたれとして形成されている。好ましくは、支持ユニットを座り家具または横たわり家具内に見えないように収容して、必要な場合にだけ支持位置へ移動させることも可能である。支持ユニットを非作動位置と支持位置との間で移動可能に配置するために、特に揺動軸承、線形ガイドなどが設けられている。
【００１４】
本発明の他の形態においては、ヘッドレスト部分とバックレスト部分は、非作動位置と機能位置との間でガイド手段によって互いに対して移動可能に軸承されている。ガイド手段として、組み合わせた揺動／摺動ガイド、純粋な線形ガイドまたは継手配置あるいは他のように構成されたカーブガイドを設けることができる。
【００１５】
本発明に基づく支持装置は、住居装置部分、余暇装置部分または作業場所装置部分のために、特に効果的に使用することができる。特に好ましくは、座り家具、横たわり家具または組み合わせた座り／横たわり家具において使用される。この種の装置部分は、固定的にも可動にも形成することができ、すなわち特に車両内、または建物あるいは室内に収容することができる。
【００１６】
本発明は、さらに、それぞれ面部分を有する、すでにある装置部分または他の対象と一緒に、本発明の主旨における支持装置を形成する、増設ユニットに関する。本発明に基づく増設ユニットは、ヘッドレスト部分と、脊椎のための支持面として用いられるスペース部分とを有している。増設ユニットは、少なくとも１つの結合部材によって、装置部分または対象の面部分に固定され、面部分はヘッドレスト部分とスペース部分が増設された状態において、支持装置のバックレスト部分の機能を引き受ける。スペース部分は、両側に肩胛骨の運動のための開放した領域が生じるように、形成されている。スペース部分は、さらに、脊椎領域のための支持面として、スペース部分によって然るべき肩胛骨運動が妨げられないように、幅狭く形成されている。この解決によって、特に、すでにあるテーブル配置、シート配置および／または寝椅子配置に増設ユニットを付加して、それによって本発明に基づく支持装置を得ることが、可能である。
【発明を実施するための最良の形態】
【００１７】
本発明の他の利点と特徴は、請求項および、図面を用いて説明する、本発明の好ましい実施例についての以下の説明から明らかにされる。
【００１８】
図１から２７に示す支持装置は、その支持位置において、仰臥した人体のための寝椅子または支えとして用いられる。該当する人は、支持装置上にその背中とその頭部を預けた位置において、腕を両側へ大きく開くことによって、腕と肩を下方へ動かすことができる。そのためには彼は、支持装置上で、肩領域、特に肩胛骨領域のそれに応じた運動が、支持装置による反支持をもたらさないような位置を占めなければならない。これを、以下で詳細に説明する。図１から３に示す支持装置は、機能的に等しく構成されているので、基本的な機能部分がまず図１を用いて説明される。機能的に等しい部品または部分には、残りの支持装置においては同一の参照符号がそれぞれ区別できる文字を付け加えて設けられている。支持装置は、プレート形状の支持ユニット１によって形成される。支持ユニットは、バックレスト部分２、支持面として用いられる、中央の支持ウェブ４、支持ウェブ４に連続するヘッドレスト部分５を有している。支持ウェブ４の高さにおいて、両側に切欠き３が形成されており、それらの切欠きはそれぞれ逆の外側へ向かって開放している。支持ウェブ４は、ここでは全体として矩形に形成されている支持ユニットの、図示されていない中央長手軸に沿って延びている。支持ユニット上に横たわる人は、彼の肩胛骨領域が切欠き３の高さに来て、その頭部が後方から支持されるような位置を占めなければならない。支持面として用いられる支持ウェブ４は、好ましくは、腕と肩が開くように動かされた場合に、少なくとも制限された腕および肩の移動距離にわたって、腕と肩の自由な動きを阻止しないような狭さに形成されている。制限された腕と肩の移動距離は、胸筋系の十分な伸張が可能でなければならないことによって、定められる。支持ユニットの該当する部分のプロポーションは、好ましくは標準人の身体に合わせられている。
【００１９】
好ましくは支持装置上に横たわる人は、仰臥してその腕を水平に両側へ大きく開き、掌を上へ向けるように、伸張訓練を実施する。大きく開かれた腕の自重によって腕は肩領域および肩胛骨領域と共に切欠き３の領域内で強制的に下の床の方へ移動し、それによって自動的に、前にあって横に延びる胸筋が伸張される。それによって胸筋系の短縮に効果的かつ弛緩した位置において、大きな苦労なしで拮抗作用することができ、それによって人の姿勢障害を回避し、あるいは減少させることができる。
【００２０】
図２に示す実施形態においては、支持ユニットの−身体方向に見て−下と上の前端部領域は、円弧状に丸くされている。支持ユニットの機能においては、図１の説明に対して何も変わらない。図３ａから３ｅは、支持ユニットの他の様々な形状を示しており、その支持ユニットの機能はそれぞれ図１を用いて説明した機能に相当する。表示は、それぞれ図式的に行われているので、プロポーションは実際において実際に生じるプロポーションには必ずしも一致しない。これは、以下で詳細に説明するすべての支持装置についても当てはまる。
【００２１】
図３ａから３ｅに示す実施形態においては、特に側方の切欠きが様々な幾何学的形状を有しており、それらの形状は図面からよく理解でき、従ってここではこれ以上詳しく説明する必要はない。
【００２２】
図４に示す実施形態においては、図１に示す支持ユニットに、床に据えられる支持脚６が設けられている。この支持脚は、図４に示す実施形態によれば、４稜プロフィール材として直線的に形成されている。図５に示す実施形態においては、固定的な支持脚が、幅広い基部を備えた湾曲した形状で設けられている。図５に示す支持ユニット１は、図４に示す支持ユニットに相当する。
【００２３】
図６に示す実施形態においては、プレート形状の支持ユニットが折り畳み可能な架台８によって支持されており、その架台はアイロン台のための架台の形式に従って形成されている。架台８の折り畳まれた位置は、一点鎖線で示されている。それによって支持ユニット１は、必要ない場合には場所をとらずに収納できる。
【００２４】
図７に示す実施形態においては、支持ユニット１は必要ない場合に場所をとらずに収容するために、大きい面積の、この場合には部屋のドア９の、対応する切欠き内に収容されており、そのドアは継手１０によって部屋の壁１１に保持されている。支持ユニット１が必要になった場合には、部屋のドア９の該当する切欠きから取り出して、適当な場所で支持位置へ移動される。
【００２５】
支持位置へ移動させるために、支持ユニット１は、特に１つまたは複数の支持部材または架台部材上に載置することができる。支持ユニット１を部屋のドア９の切欠き内に固定するために、部屋のドア９の領域に取り外し可能な固定手段が設けられている。
【００２６】
図８と９に示す実施形態においては、サーフボードの形式に従って形成された支持ユニット１ｇは、立っている蛍光管配置１４の前に平行に位置決めされていることによって、付加的に照明オブジェのオブジェ部分として使用される。そのために、支持ユニット１ｇは、その底領域内に差込み接続部材１５を有しており、それがベース１３の対応する差込み接続部材上へ取り外し可能に差し込むことができる。蛍光管配置１４も、その斜めの位置においてベース１３内に堅固に係止されている。図示されていない実施形態は、他の種類の空間オブジェまたはデザインオブジェを表しており、その中にそれぞれ該当するように適合された支持ユニットが収容される。
【００２７】
図１０に示す実施形態においては、支持ユニット１はその下方の前端部領域において、水平の揺動軸を定める継手配置１７によって、垂直の壁１６に、一点鎖線で示す高く折り畳まれた非作動位置と実線で示す支持位置との間で揺動移動可能に軸承されている。支持位置のために、支持脚配置１８が設けられており、その支持脚配置は支持ユニット１の下側にリンク結合することができ、あるいは別体の部品として支持ユニット１の下側へあてがうことができる。
【００２８】
図１１に示す実施形態においては、この場合には安楽椅子の形状の、座りかつ／または横たわる家具９の引出しボックス２０内に収容されている。支持ユニット１は、引出しボックス２０の対応するフレーム部分上に安定的に支持されているので、図１１に示す引出しボックス２０の引出し位置において、支持ユニット１は直接その支持位置へ移動されている。従って人は、支持ユニット１上に仰臥して、好ましくはその脚領域を安楽椅子のシートおよび背もたれクッション上に載せることができる。図示されていない実施形態においては、支持ユニットは、引出しなどの形状の引出し部材内に収容されており、引出し部材は、特に陸海空の自動車のような、任意の適当な可動または不動の対象内、機械または設備のハウジング内、あるいは他の装置内に内蔵することができる。
【００２９】
図１２に示す形態においては、スペース部分として用いられる、切欠き３ｈの高さにある中央の支持面４ａを含めたヘッドレスト部分５ａは、バックレスト部分２ｈから取り外し可能に形成されている。従って増設ユニットが形成される。そのために接続部材として差込み接続２１が設けられており、その差込み接続が、面部分として用いられる、バックレスト部分２ｈの該当する端面の領域内にヘッドレスト部部分５ｈを矢印方向に差し込むことを可能にする。
【００３０】
支持面４ｈは、差し込まれた状態においてヘッドレスト部分５ｈが２つのバックレスト部分５ｈに対して間隔をもって位置決めされているように、プレート形状に形成されている。それによって切欠き３ｈが形成される。
【００３１】
増設ユニットを有する同様な形態が、図１３に示されている。ここでは、差込み接続２２のみが異なるように形成されている。差込み接続２２の該当する脚が、クリップの形式に従ってバックレスト部分のプレート形状を上側と下側で把持している。差込み接続２２の上方の脚は、さらに、肩胛骨領域の高さで人間の頭部の脊椎を支持するための中央の支持ウェブ４ｌを形成している。
【００３２】
図１４に示す、増設ユニットを有する実施形態も、図１２と１３に示す実施形態と同様に形成されている。ここで異なっているのは、大体において、支持面４ｋを含めてヘッドレスト部分５ｋをバックレスト部分２ｋに継ぎ合わせるための差込み接続２３に、さらに、しゃこ万力の形状の固定手段２４が対応づけられていることであって、その固定手段が差込み結合された状態の固定を可能にする。
【００３３】
図１５に示す実施形態においては、テーブル配置２５の形状の家具部分または装置部分が設けられている。テーブル配置２５のテーブルプレートの下には、中空空間が設けられており、その中に２つの支持ユニット１が収容されている。従って図１５に示す実施形態においては、テーブル配置は単に支持ユニット１の置き場所として用いられる。図１５からはっきりとは認識できない実施例においては、２つの支持ユニット１は引出しプレートの形式に従って上方のテーブルプレートの下方に線形に摺動可能に位置決めされており、支持位置へ移動させるために対応する置き場所から引き出して、好ましくはテーブルプレートと同じ高さへ移動させることができる。、図示されていない支持手段を用いて支持ユニット１の少なくとも１つがこの支持位置に固定される。従ってテーブルプレートは、人の脚と臀部の領域の載置部として用いられ、その人の背領域と頭部領域は支持ユニット１上に位置決めされる。
【００３４】
図１６と１７は、他のテーブル配置２６を開示しており、そのテーブル配置は上記説明した実施形態と同様に、引出し可能なヘッドレスト領域２７を有している。ヘッドレスト領域２７は、その非作動位置においては、図１６に示すようにテーブル配置２５のテーブルプレートの下方に引き込んで配置されている。肩胛骨の高さに側方の切欠き３ｌを得るために、ヘッドレスト領域２７は図１７に示す位置へ簡単に移動され、ガイドウェブ部分２８はヘッドレスト部分２７と堅固に結合されたままである。ガイドウェブ部分２８は、線形ガイドを引き受け、テーブルプレートの下方の対応するレール内に保持されている。さらに、ガイドウェブは、肩胛骨領域において脊椎を支持するための中央の支持面の機能を引き受け、その寸法設計は、この機能に合わせられている。
【００３５】
図１８から２０に示す実施形態においては、切欠き３の領域においても連続したプレート形状あるいは連続した面を得るために、支持ユニット１の切欠き３はカバー部材２９、２９ａ、２９ｂによって閉鎖可能である。それによってプレート状の支持ユニットが、特にテーブルプレートとして機能できることによって、付加的な機能を満たすことができる。
【００３６】
図１８に示す実施形態においては、カバー部材２９は、簡単な方法で、差込みピンを用いて支持ユニット内へ差し込むことができる。
【００３７】
図１９に示す実施形態においては、差込み部材２９ａは差込み端縁を有しており、それが切欠きの領域において支持ユニット１に設けられた対応する差込み溝と協働し、それによって水平の差込みまたは引出しを可能にしている。
【００３８】
図２０に示す実施例においては、カバー部材２９ｂは、支持ユニット１と結合されている。カバー部材２９ｂは、詳しく示されていない継手配置を介して各切欠き３の底の領域内の水平の揺動軸を中心に支持ユニット１と結合されている。詳しく図示されていない固定手段によって、カバー部材２９ｂを、切欠き３を閉鎖する、非作動位置に固定することができる。
【００３９】
図２１と２２に示す実施形態においては、テーブル配置３０が設けられており、そのテーブル配置は矩形のテーブルプレートを有する細長いテーブルおよび細長いテーブルと同じ幅を有する正方形のテーブルとから構成されている。正方形のテーブルは揺動／スライドガイド３１を介して隣接する、細長いテーブルのテーブルプレートの端面と永続的に結合されている。好ましくは正方形のテーブルの適当な角部にキャリッジ部材が設けられており、それが細長いテーブルのテーブルプレート内に延びるキャリッジガイド内で案内されており、付加的に正方形のテーブルの揺動運動を可能にする。
【００４０】
この形状によって、テーブル配置３０は付加的に支持装置として使用することが可能である。該当する支持位置が、図２２に示されている。正方形のテーブルは、そのテーブルプレートによってまずヘッドレスト部分として用いられ、さらに４５°回動された位置においてそのキャリッジ部材を有する角部領域において、上に乗っている人間の脊椎の、肩胛骨領域における支持面として用いられる。４５°回動された配置によって、さらに、キャリッジ部材を支持する角部の両側に、肩胛骨領域のための所望の切欠き３ｍが形成される。細長いテーブルのテーブルプレートは、正方形のテーブルに隣接する領域において、バックレスト部分２ｍとして用いられる。正方形のテーブルの摺動運動は、図２２内で矢印Ｓによって、組み合わされた回転運動は矢印Ｄによって明らかにされている。
【００４１】
図２３に示す実施形態においては、互いに結合されていない、正方形のテーブルまたはスツールの形状の家具配置３２が設けられている。この種のテーブルまたはスツールは、原則的に知られている。しかし、図２３に示す実施形態においては、これらは、一方の側の最後のテーブルまたはスツールが、図２２に示す形態と同様に４５°回動して、１つの角において隣接するスツールまたはテーブルに接続されることによって、支持装置の形式で位置決めされている。すべてのテーブルまたはスツールは、等しい高さを有している。それによって端縁側のテーブルまたはスツールは、脊椎のための支持面４ｎを含めたヘッドレスト部分５ｎを形成し、隣接するスツールまたはテーブルがバックレスト部分２ｎを形成する。
【００４２】
図２４と２５に示す実施形態においては、ここでは背もたれを有する事務椅子の形式の、可動の装置部分が設けられており、その背もたれが支持ユニット１として形成されている。背もたれは、図２５に示す水平の位置へ倒すことができる。そのために継手配置３６が用いられる。支持位置における支持ユニット１の確実な支持を可能にするために、支持脚３４が設けられており、その支持脚は本実施形態においては背もたれの後ろ側に折り畳み可能かつ引出し可能に保持されている。また、支持ユニット１をその支持位置において支持するための別体の支持部材を設けることも可能である。
【００４３】
図２６と２７に示す実施形態においては、テーブル配置３７が設けられており、そのテーブル配置にはさらに、テーブル配置３７のテーブルプレートの外側端縁に継手配置３８によってリンク結合された支持ユニット１が設けられている。それによって支持配置３７は、支持ユニット１がその水平の支持位置へ上へ向かって矢印方向に揺動されるとすぐに、支持装置として用いられる。支持ユニット１は、その水平の支持位置において、適切な支持部材３９によって固定される。
【００４４】
上述したすべての実施形態は、単に図式的に示されている。個々の部品ないし部分の寸法および大きさの比は、図面表示においては必ずしも実際の形成とは一致しない。従って該当する支持部分、支持ユニットまたは支持装置は、詰め物をした表面、詰め物をしていない表面、そしてまた平坦でなく湾曲した表面、あるいは整形外科的に成形された表面を有することができる。従って本発明は、上述した実施例に限定されるものではなく、当業者にとって明らかな他の形態も含んでいる。
【図面の簡単な説明】
【００４５】
【図１】プレート形状の支持ユニットの形式の本発明に基づく支持装置の実施形態を概略的に示す上面図である。
【図２】図１と同様に支持装置を示している。
【図３】３ａから３ｅは、図１および２と同様の支持装置の他の変形例を示している。
【図４】堅固な、直線的な支持脚を有する支持装置を示している。
【図５】図４と同様であるが、湾曲したテーブル脚を備えた支持装置を示している。
【図６】アイロン台の形式に従って折り畳み可能な架台を有する、ヘッドレスト部分、切欠きおよびバックレスト部分からなるプレート状の支持ユニットを備えた支持装置を示している。
【図７】部屋のドアの対応する切欠き内に取り外し可能に収容された、図１に基づく支持ユニットを示している。
【図８】シールドが付加的に図２と同様な支持装置として形成されている、照明オブジェを側面で示している。
【図９】図８に基づく照明オブジェを示す正面図である。
【図１０】本発明に基づく支持装置の他の実施形態を斜視図で示しており、プレート状の支持ユニットは非作動位置においては壁に添接し、図１０に示す支持位置においては水平の位置へ揺動されている。
【図１１】座りかつ／または横たわる家具であって、支持装置が引出しに収容されている。
【図１２】支持装置の一部を斜視図で示しており、ヘッドレスト部分が開放領域を形成しながらバックレスト部分に差込み可能である。
【図１３】図１２と同様の他の形態であって、同様にヘッドレスト部分が開放領域を形成しながらバックレスト部分に差込み可能である。
【図１４】ここではしゃこ万力の形状の、支持位置のための固定手段を有する、図１３と同様の他の実施形態を示している。
【図１５】テーブルに収容されている、支持装置の他の実施形態を示している。
【図１６】支持装置の付加機能を引き受けることのできる、他のテーブル配置を示している。
【図１７】図１６に基づくテーブル配置を、その支持位置で示している。
【図１８】非作動位置においては切欠きを閉鎖し、支持位置のためにはそれを開放する、取り外し可能または移動可能に配置されたカバー部材を示している。
【図１９】非作動位置においては切欠きを閉鎖し、支持位置のためにはそれを開放する、取り外し可能または移動可能に配置されたカバー部材を示している。
【図２０】非作動位置においては切欠きを閉鎖し、支持位置のためにはそれを開放する、取り外し可能または移動可能に配置されたカバー部材を示している。
【図２１】付加的に支持装置として用いられる、他の家具配置を示している。
【図２２】付加的に支持装置として用いられる、他の家具配置を、支持位置で示している。
【図２３】支持装置としての付加機能のために互いに対して支持位置に位置決めされた、他の家具配置を示している。
【図２４】支持装置としての付加機能を有する、事務椅子を示している。
【図２５】支持装置としての付加機能を有する、事務椅子を示している。
【図２６】付加機能において支持装置として用いられる、他のテーブル配置を示している。
【図２７】付加機能において支持装置として用いられる、他のテーブル配置を示している。
【図１】
2005531375.tif 000003
【図２】
2005531375.tif 000004
2005531375.tif 000005
【図４】
2005531375.tif 000006
【図５】
2005531375.tif 000007
【図６】
2005531375.tif 000008
【図７】
2005531375.tif 000009
【図８】
2005531375.tif 000010
【図９】
2005531375.tif 000011
【図１０】
2005531375.tif 000012
【図１１】
2005531375.tif 000013
【図１２】
2005531375.tif 000014
【図１３】
2005531375.tif 000015
【図１４】
2005531375.tif 000016
【図１５】
2005531375.tif 000017
【図１６】
2005531375.tif 000018
【図１７】
2005531375.tif 000019
【図１８】
2005531375.tif 000020
【図１９】
2005531375.tif 000021
【図２０】
2005531375.tif 000022
【図２１】
2005531375.tif 000023
【図２２】
2005531375.tif 000024
【図２３】
2005531375.tif 000025
【図２４】
2005531375.tif 000026
【図２５】
2005531375.tif 000027
【図２６】
2005531375.tif 000028
【図２７】
2005531375.tif 000029
【国際調査報告】
2005531375.tif 000030
2005531375.tif 000031
2005531375.tif 000032
2005531375.tif 000033